(57)【要約】【課題】オフセット印刷機に対して帯電防止のための構成を付加することの無い、印刷紙の帯電防止方法を提供する。【解決手段】上記課題を解決するための印刷紙の帯電防止方法は、洗浄布４０を介してブランケット胴１０に対して陽イオン性親水基３０を付着させることを特徴とする。この方法においてブランケット胴１０に対する陽イオン性親水基３０の付着は、洗浄布４０によるブランケット胴１０の洗浄に伴って成されるようにする。【選択図】図２
2020044736.tif 000002
【特許請求の範囲】
【請求項１】
洗浄布を介してブランケット胴に対して陽イオン性親水基を付着させることを特徴とする印刷紙の帯電防止方法。
【請求項２】
前記ブランケット胴に対する前記陽イオン性親水基の付着は、前記洗浄布による前記ブランケット胴の洗浄に伴って成されることを特徴とする請求項１に記載の印刷紙の帯電防止方法。
【請求項３】
ブランケット胴に付着した汚れを溶解させる洗浄液と、陽イオン性親水基を有する添加剤と、を払拭体に含浸させた洗浄布であって、
前記洗浄布は、前記ブランケット胴の払拭に伴い、前記汚れを吸着すると共に、
前記ブランケット胴へ前記陽イオン性親水基を付着させることを特徴とする洗浄布。
【請求項４】
前記添加剤は、複数の４級アンモニウム塩を混入させることで構成していることを特徴とする請求項３に記載の洗浄布。
【請求項５】
前記払拭体は、不織布であることを特徴とする請求項３または４に記載の洗浄布。
【発明の詳細な説明】
【技術分野】
【０００１】
本発明は、オフセット印刷機における印刷紙の帯電防止技術に関する。
【背景技術】
【０００２】
オフセット印刷機のうち、輪転型の印刷機は、帯状の印刷紙（ウェブ）に対して、印刷、乾燥、冷却、裁断、折りといった工程を施すことで、紙面としての印刷物を生成する。このような工程を経る印刷紙は、ロールからの引き出しや擦れなどによって静電気が帯電しやすくなる。さらに、こうした印刷紙に対して乾燥や冷却といった処理を加えることで、さらに帯電性の向上が図られることとなる。静電気を帯びた印刷紙は、裁断や折りといった工程で、紙面同士の貼り付きによる紙詰まりや、紙揃えのバラつきといった不具合が生じ易く、一般的には、特許文献１や特許文献２に開示されているように、裁断後の印刷紙に微粒子パウダーを塗布したり、水分を加えたりするといった帯電防止策が採られている。
【先行技術文献】
【特許文献】
【０００３】
【特許文献１】特開平４−８００３６号公報
【特許文献２】特開平１１−３０９８４１号公報
【発明の概要】
【発明が解決しようとする課題】
【０００４】
特許文献１、２に開示されているような帯電防止策によれば確かに、輪転印刷機から送り出された印刷紙の紙そろえ性の向上等に大きな効果を得ることができると考えられる。しかし、特許文献１や特許文献２に開示されている技術はいずれも、印刷紙の帯電防止のために新たな構成を付加する必要がある。このため、印刷機の大型化、高価格化を招くこととなるといった問題がある。
【０００５】
そこで本発明では、上記問題を解決し、オフセット印刷機に対して帯電防止のための構成を付加することの無い、印刷紙の帯電防止方法、及びこの帯電防止方法を実現するための洗浄布を提供することを目的とする。
【課題を解決するための手段】
【０００６】
上記目的を達成するための本発明に係る印刷紙の帯電防止方法は、洗浄布を介してブランケット胴に対して陽イオン性親水基を付着させることを特徴とする。
【０００７】
また、上記のような特徴を有する印刷紙の帯電防止方法において、前記ブランケット胴に対する前記陽イオン性親水基の付着は、前記洗浄布による前記ブランケット胴の洗浄に伴って成されるようにすると良い。このような特徴を有することによれば、ブランケット胴への陽イオン性親水基の付着は、新たな構成のみならず、新たな工程も増やす事なく行うことが可能となる。
【０００８】
また、上記目的を達成するための本発明に係る洗浄布は、ブランケット胴に付着した汚れを溶解させる洗浄液と、陽イオン性親水基を有する添加剤と、を払拭体に含浸させた洗浄布であって、前記洗浄布は、前記ブランケット胴の払拭に伴い、前記汚れを吸着すると共に、前記ブランケット胴へ前記陽イオン性親水基を付着させることを特徴とする。
【０００９】
また、上記のような特徴を有する洗浄布において前記添加剤は、複数の４級アンモニウム塩を混入させることで構成すると良い。このような特徴を有する洗浄布によれば、添加剤として、いわゆるカチオン系界面活性剤を用いることができる。
【００１０】
さらに、上記のような特徴を有する洗浄布において前記払拭体は、不織布とすると良い。このような特徴を有することによれば、輪転印刷機における洗浄布の素材として一般的に使用されている素材を用いることができ、洗浄布の製造コストの高騰を抑えることができる。
【発明の効果】
【００１１】
上記のような特徴を有する印刷紙の帯電防止方法によれば、オフセット印刷機に対して帯電防止のための新たな構成を付加する必要が無い。このため、印刷機の大型化、高価格化を招く虞も無い。
【図面の簡単な説明】
【００１２】
【図１】実施形態に係る印刷紙の帯電防止方法を適用する枚葉型のオフセット印刷機における構成の一部を示す図である。
【図２】ブランケット胴に付着した陽イオン性親水基が印刷紙に吸着される様子を示すイメージ図である。
【図３】実施形態に係る印刷紙の帯電防止方法を実施するための洗浄布の構成を示すイメージ図である。
【発明を実施するための形態】
【００１３】
以下、本発明の印刷紙の帯電防止方法、及び洗浄布に係る実施の形態について、図面を参照して詳細に説明する。なお、以下に示す実施の形態は、本発明を実施するための好適な形態の一部であり、その効果を奏する限りにおいて、適宜変更を加えたとしても、本発明の一部とみなすことができる。
【００１４】
本発明における印刷紙の帯電防止方法を適用するオフセット印刷機は、少なくとも図１に示すように、外周面に印刷パターンに沿ったインキを載せる版胴１２と、この版胴１２からインキが転写されるブランケット胴１０、およびブランケット胴１０に印刷紙２０を押し付ける圧胴１４を備えた装置である。このような構成を備えるオフセット印刷機では、フィーダー１６から印刷紙２０を送り出す際や、ブランケット胴１０と圧胴１４との間の通過といった印刷経路上での引き剥がしやはがれ、および擦れ等により、印刷紙２０に静電気が帯電し、印刷後の紙揃えに悪影響を及ぼす。
【００１５】
本実施形態に係る印刷紙の帯電防止方法では、ブランケット胴１０に帯電防止成分としての陽イオン性親水基３０を付着させることで、印刷紙２０に対する静電気の帯電を抑制する。図２にイメージを示すようにブランケット胴１０に付着した陽イオン性親水基３０は、静電気を帯びた印刷紙２０におけるマイナスの電荷２２に電気的に吸着する。
【００１６】
スタッカー（不図示）における印刷紙同士の静電気吸着は、帯電によって生じたプラスの電荷２４とマイナスの電荷２２が引き付け合う事によって生じる。このため、陽イオン性親水基３０がマイナスの電荷に吸着した場合、印刷紙２０におけるマイナスの電荷２２が無効化されることとなり、重ねそろえられた印刷紙間における静電気吸着を抑制することができる。
【００１７】
本実施形態に係る印刷紙２０の帯電防止方法では、上述したブランケット胴１０に対する陽イオン性親水基３０の付着を、洗浄布４０を介して行うようにする。近年、ブランケット胴１０、その他の胴の洗浄には、洗浄対象とする胴に洗浄布を介して弾性体を押し当て、胴表面を払拭するという方法が採られている。このため、洗浄布によりブランケット胴１０を払拭する際、払拭と同時にブランケット胴１０の表面に陽イオン性親水基３０を付着させれば、従来の工程や、設備を変更することなく、印刷紙２０の帯電防止効果を付加させることができる。
【００１８】
このような印刷紙の帯電防止方法を実施するための洗浄布４０の構成について、図３に、そのイメージを示す。なお、図３においては、視覚的な認識の向上を図るため、洗浄液をハッチングで示し、添加剤については陽イオン性親水基３０として示している。実施形態に係る洗浄布４０は、払拭体４２に対して、洗浄液４４と添加剤４６を含浸させることで構成されている。払拭体４２は、詳細を後述する洗浄液４４や添加剤４６に対する耐性や、払拭時における摩擦や引張りに対する耐性を持ち、かつ洗浄液４４や添加剤４６を含浸可能な吸水性を備えた薄物素材であれば、特に限定するものでは無い。具体的な例として、ポリエチレンや、ポリエステル、ポリプロピレン等の熱可塑性樹脂により構成されるフィラメントや、パルプ等の植物繊維、並びにこれらを組み合わせた繊維材等を原料とした不織布などであれば良い。
【００１９】
洗浄液４４は、インキを溶解させる特性を有し、版胴１２やブランケット胴１０に対する腐食性が無い溶剤であれば、特に限定するものでは無いが、高沸点脂肪酸エステル系溶剤および石油系溶剤等であることが望ましい。添加材４６は、複数の４級アンモニウム塩を水やアルコール、および溶剤等の希釈液により希釈したもの、例えばカチオン系界面活性剤であれば良い。なお、洗浄液４４と添加剤４６との割合としては、両者を混合した含浸溶剤の重量に対して、添加剤４６の混合割合が０．５〜１５重量％程度、より好適には７〜１２重量％となるようにすると良い。洗浄効果と帯電防止効果のバランスを良好に保つためである。
【００２０】
このような構成の洗浄布４０によれば、ブランケット胴１０の払拭に伴い、インキ等の汚れを吸着すると共に、ブランケット胴１０へ陽イオン性親水基３０を付着させ、印刷紙２０に対する帯電防止効果を奏することができる。このような方法で印刷紙の帯電防止効果を得る事によれば、オフセット印刷機に対して帯電防止のための新たな構成を付加する必要が無い。このため、印刷機の大型化、高価格化を招くこともない。
【産業上の利用可能性】
【００２１】
なお、上記実施形態では、洗浄布４０を介して弾性体を押し当てる事により、ブランケット胴１０の表面を洗浄布４０で払拭する旨記載した。しかしながら、本発明に係る印刷紙の帯電防止方法は、洗浄布４０によりブランケット胴１０を払拭することで、陽イオン性親水基３０をブランケット胴１０に付着させることができれば、その具体的な手段を問うものではない。すなわち、作業者が手作業により、洗浄布４０を用いてブランケット胴１０と圧胴１４を払拭した場合であっても、陽イオン性親水基３０の付着による帯電防止効果を得ることができれば、本発明の一部とみなすことができる。
【００２２】
また、上記実施形態では、オフセット印刷機の一例として、枚葉型の印刷機の構成を図に示して説明した。しかしながら、本発明に係る印刷紙の帯電防止方法は、ロール状の印刷紙を用いる輪転機にも適用することができる。
【符号の説明】
【００２３】
１０………ブランケット胴、１２………版胴、１４………圧胴、１６………フィーダー、２０………印刷紙、３０………陽イオン性親水基、４０………洗浄布、４２………払拭体、４４………洗浄液、４６………添加剤。
【図１】
2020044736.tif 000003
【図２】
2020044736.tif 000004
【図３】
2020044736.tif 000005
【手続補正書】
【提出日】令和1年8月28日(2019.8.28)
【手続補正１】
【補正対象書類名】特許請求の範囲
【補正対象項目名】全文
【補正方法】変更
【補正の内容】
【特許請求の範囲】
【請求項１】
ブランケット胴に対して汚れを溶解させる洗浄液と、陽イオン性親水基を有する添加剤と、を払拭体に含浸させた洗浄布を介して弾性体を押し当てることで胴表面を払拭し、ブランケット胴に対して陽イオン性親水基を付着させることを特徴とする印刷紙の帯電防止方法。
【請求項２】
前記ブランケット胴に対する前記陽イオン性親水基の付着は、前記洗浄布による前記ブランケット胴の洗浄に伴って成されることを特徴とする請求項１に記載の印刷紙の帯電防止方法。
【請求項３】
前記添加剤は、複数の４級アンモニウム塩を混入させることで構成していることを特徴とする請求項１または２に記載の印刷紙の帯電防止方法。
【請求項４】
前記払拭体は、不織布であることを特徴とする請求項１乃至３のいずれか１項に記載の印刷紙の帯電防止方法。
【手続補正３】
【補正対象書類名】明細書
【補正対象項目名】０００５
【補正方法】変更
【補正の内容】
【０００５】
そこで本発明では、上記問題を解決し、オフセット印刷機に対して帯電防止のための構成を付加することの無い、印刷紙の帯電防止方法を提供することを目的とする。
【手続補正４】
【補正対象書類名】明細書
【補正対象項目名】０００６
【補正方法】変更
【補正の内容】
【０００６】
上記目的を達成するための本発明に係る印刷紙の帯電防止方法は、ブランケット胴に対して汚れを溶解させる洗浄液と、陽イオン性親水基を有する添加剤と、を払拭体に含浸させた洗浄布を介して弾性体を押し当てることで胴表面を払拭し、ブランケット胴に対して陽イオン性親水基を付着させることを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１３
【補正方法】変更
【補正の内容】
【００１３】
以下、本発明の印刷紙の帯電防止方法に係る実施の形態について、図面を参照して詳細に説明する。なお、以下に示す実施の形態は、本発明を実施するための好適な形態の一部であり、その効果を奏する限りにおいて、適宜変更を加えたとしても、本発明の一部とみなすことができる。
【手続補正９】
【補正対象書類名】明細書
【補正対象項目名】００２１
【補正方法】削除
【補正の内容】